(57)【要約】【課題】プリント処理後のフィルムや画像データの保管の必要が無く、鑑賞用のプリントのみから再プリント処理を行うことができ、同時プリント時（初回のプリント時）に作成したプリントと同等の品質のプリントを、安定的かつ効率良く複製するプリントシステムおよびプリントを提供する。【解決手段】無線通信によりデータ送受信可能な記憶部をプリントに付する付着手段と、記憶部にプリントに再現される画像の関連情報を記録する記録手段と、プリントに付された記憶部から関連情報を読み取る読取手段とを有し、同時プリントの際には、付着手段によって記憶部をプリントに付するとともに記録手段によって関連情報を記憶部に記録し、再プリントの際には、プリントに付された記憶部から読取手段によって読み取った関連情報を用いて再プリントを作成することにより、上記課題を解決する。【選択図】図１
2004110244.tif 000002
【特許請求の範囲】
【請求項１】
入力画像に画像処理を施し、可視像として再現したプリントを出力するプリントシステムであって、
無線通信によりデータ送受信可能な記憶部を前記プリントに付する付着手段と、
前記記憶部に前記プリントに再現される画像の関連情報を記録する記録手段と、
前記プリントに付された前記記憶部から前記関連情報を読み取る読取手段とを有し、
同時プリントの際には、前記付着手段によって前記記憶部をプリントに付するとともに前記記録手段によって前記関連情報を前記記憶部に記録し、再プリントの際には、前記プリントに付された前記記憶部から前記読取手段によって読み取った前記関連情報を用いて再プリントを作成することを特徴とするプリントシステム。
【請求項２】
前記関連情報は、前記プリントに出力される画像の原画像データ、中間処理画像データおよび最終処理画像データの少なくとも１つ以上を含む請求項１に記載のプリントシステム。
【請求項３】
前記関連情報は、前記画像処理における画像処理条件、前記プリントの原画像取得時の撮影情報、前記原画像の被写体関連情報、メッセージ情報、広告情報および著作権情報の少なくとも１つ以上を含む請求項１または２に記載のプリントシステム。
【請求項４】
前記関連情報は、顧客ＩＤ、ラボＩＤ、プリントＩＤおよび画像ファイルＩＤの少なくとも１つ以上を含む請求項１〜３のいずれかに記載のプリントシステム。
【請求項５】
前記関連情報は、顧客ＩＤ、プリント枚数およびプリントサイズを含む注文情報を含み、前記注文情報を用いてプリント作成処理を行うようにした請求項１〜４のいずれかに記載のプリントシステム。
【請求項６】
入力画像に画像処理を施し、可視像として再現したプリントであって、
前記プリントに再現される画像の関連情報を記憶し、無線通信によりデータ送受信可能な記憶部を付したことを特徴とするプリント。
【発明の詳細な説明】
【０００１】
【発明の属する技術分野】
本発明は、入力画像を再現したプリント（写真）を出力するプリントシステムの技術分野に属する。
【０００２】
【従来の技術】
従来、ネガフィルム、リバーサルフィルム等の写真フィルム（以下、フィルムとする）に撮影された画像の感光材料（印画紙）への焼付けは、フィルムの画像を印画紙へ投影して露光する、いわゆる直接露光（アナログ露光）による方法が行われている。また、近年では、デジタル露光による方法、すなわち、フィルムに撮影された画像を光電的に読み取ることで画像データを得て、あるいは、デジタルスチルカメラ（ＤＳＣ）によって撮影された画像の画像データを得て、この画像データに応じて変調した記録光によって、感光材料を走査露光して画像（潜像）を記録し、プリントとする方法が普及している。
【０００３】
このようにして作成されたプリントのうち、特定のプリントと同じ画像のプリントを再度作成する、いわゆる再プリント（焼増し）の注文も多い。
フィルムからの再プリントの注文は、顧客が、既に作成されているプリントやインデックスプリントを見て注文する画像を選び、ネガシートや注文用紙のコマ毎の所定欄にプリント枚数を記入してＤＰＥ店等にフィルムと共に持ち込むことによって行われる。再プリントの注文を受けたＤＰＥ店等では、ネガシートや注文用紙に記された指定コマをフィルムの中から探し、指定枚数分プリントする。
【０００４】
一方、画像データからの再プリントの注文は、顧客が、既に作成されているプリントや、パソコンまたはＤＳＣのディスプレイ等に表示した画像を見て、注文する画像を選び、その画像データが記録された記録メディアをＤＰＥ店等に持ち込むか、その画像データをインターネット等の通信手段によってＤＰＥ店等に送信することによって行われる。この際、ＤＰＥ店等に設置された注文受け付け端末によって注文内容が入力されたり、プリントサービス提供者から電子データとして提供される注文フォームに必要事項が入力され、画像データと共にＤＰＥ店等に送信されることもある。注文を受けたＤＰＥ店等では、指定された画像データを記録メディアから取り出すか、通信手段で受信した画像データを用いて、指定枚数分プリントする。
【０００５】
このように、再プリントを注文する可能性がある場合、顧客は、鑑賞用に保管しているプリントとは別に、プリントの原画像を記録した沢山のフィルムや原画像データ等を保管しておく必要があり、再プリントの注文の際には、それらの中から注文したい画像が記録されているフィルムまたは原画像データを探し出し、さらに、ネガシートや注文用紙、注文フォーム等に注文するコマ番号やファイル名を正確に指定しなければならず、非常に煩わしい。
また、ＤＰＥ店等では、再プリントの注文があった画像を、複数の画像が連続的に記録されているフィルムの中から検索したり、複数の画像データが記録された記憶メディア等から検索する必要があり、作業効率が悪い。
【０００６】
さらに、再プリントで再現される画像は、先に作成されたプリントの画像と、色や濃度がほぼ一致していることが要求される。
しかしながら、プリント処理においては、フィルムから画像を読み取るスキャナの性能や、画像データ処理および補正の方法、オペレータによる画像処理検定時の微調整具合、プリンタの性能等の影響により、仕上がりプリントの色や濃度に若干の差を生じてしまうこともある。このような画質の微妙な差を、画像処理条件の微調整により調整して、先のプリントと同品質の画像を出力するのは、画像処理の経験と知識が深くないオペレータにとっては困難なことも多く、作業に要する時間が長くなり、プリントの不合格品による材料の無駄も多くなる。
【０００７】
このような問題に対して、特開平１１−３３８０６２号公報（特許文献１）では、フィルムに撮影された画像を読み取り、画像処理を施してプリントを作成する際に、各コマの識別情報を、プリントの裏や表、インデックスプリント等に付与すると共に、各コマの原画像データと、施した画像処理方法を示す画像処理情報、または画像処理後の画像データを、各コマの識別情報と対応付けて、記憶手段に記憶しておき、再プリント時には、再プリントするコマの識別情報をプリント等から読み取り、対応する画像データおよび画像処理情報を記憶手段から読み出して、プリント処理を施すことにより、前回のプリントと色や濃度が同様の画像を再現したプリントが出力可能なプリントシステムが提案されている。このプリントシステムによれば、顧客は、鑑賞用のプリントのみを保管しておき、再プリントしたいプリントをＤＰＥ店等に持ち込むことで再プリントを注文できるし、先のプリントと同画質の再プリントを得ることができる。
【０００８】
【特許文献１】
特開平１１−３３８０６２号公報
【０００９】
【発明が解決しようとする課題】
しかしながら、前記特開平１１−３３８０６２号公報（特許文献１）に提案されているプリントシステムでは、ＤＰＥ店等のプリントサービス提供者は、全ての顧客の画像データを保管しておかねばならず、莫大な容量の記憶手段が必要となり、管理コストが増大する。また、記憶する画像データの中には再プリントの注文が無いものも多いため、管理コストの無駄も多くなる。
【００１０】
一方、プリントに記録された画像をスキャナ等で読み取ることにより画像データを得て、プリントを複製する方法も可能である。この方法によれば、フィルムや画像データの保管は不要である。
しかし、この方法では、前回のプリントを作成したプリンタの性能や、プリント画像を読み取るスキャナの性能の違いによって、得られる画像データが異なる場合もあり、元のプリントと同画質のプリントを作成するのが難しい。また、元のプリントが、光の当たる状態で保管されていた等の理由により褪色していたり、汚れが付着していたり、プリントが折り曲げられてしわができてしまった場合等には、元の画像を再現するのが困難である。
【００１１】
本発明の目的は、上記従来技術の問題点を解消し、写真フィルムに撮影された画像や、デジタルスチルカメラ等で撮影された画像を再現したプリントを出力するプリントシステムであって、プリント処理後のフィルムや画像データの保管の必要が無く、鑑賞用のプリントのみから再プリント処理を行うことができ、同時プリント時（初回のプリント時）に作成したプリントと同等の品質のプリントを、安定的かつ効率良く複製するプリントシステムおよびプリントを提供することにある。
【００１２】
【課題を解決するための手段】
上記目的を達成するために、本発明は、入力画像に画像処理を施し、可視像として再現したプリントを出力するプリントシステムであって、無線通信によりデータ送受信可能な記憶部を前記プリントに付する付着手段と、前記記憶部に前記プリントに再現される画像の関連情報を記録する記録手段と、前記プリントに付された前記記憶部から前記関連情報を読み取る読取手段とを有し、同時プリントの際には、前記付着手段によって前記記憶部をプリントに付するとともに前記記録手段によって前記関連情報を前記記憶部に記録し、再プリントの際には、前記プリントに付された前記記憶部から前記読取手段によって読み取った前記関連情報を用いて再プリントを作成することを特徴とするプリントシステムを提供するものである。
【００１３】
ここで、前記関連情報は、前記プリントに出力される画像の原画像データ、中間処理画像データおよび最終処理画像データの少なくとも１つ以上を含むのが好ましい。
また、前記関連情報は、前記画像処理における画像処理条件、前記プリントの原画像取得時の撮影情報、前記原画像の被写体関連情報、メッセージ情報、広告情報および著作権情報の少なくとも１つ以上を含むのが好ましい。
また、前記関連情報は、顧客ＩＤ、ラボＩＤ、プリントＩＤおよび画像ファイルＩＤの少なくとも１つ以上を含むのが好ましい。
【００１４】
また、前記関連情報は、顧客ＩＤ、プリント枚数およびプリントサイズを含む注文情報を含み、前記注文情報を用いてプリント作成処理を行うようにしたのが好ましい。
【００１５】
また、本発明は、入力画像に画像処理を施し、可視像として再現したプリントであって、前記プリントに再現される画像の関連情報を記憶し、無線通信によりデータ送受信可能な記憶部を付したことを特徴とするプリントを提供するものである。
【００１６】
【発明の実施の形態】
以下、本発明のプリントシステムおよびプリントについて、添付の図面に示される好適実施例をもとに詳細に説明する。
【００１７】
図１に、本発明に係るプリントシステムの一実施例の概略構成を示す。
同図に示すプリントシステム１０は、画像入力装置１２、画像処理装置１４、画像出力装置１６、および制御部１８を備え、画像入力装置１２によって得た入力画像の画像データに対し、画像処理装置１４において所定の画像処理を施し、画像出力装置１６から出力画像（写真プリント）や出力画像データを得るものである。
【００１８】
画像入力装置１２は、プリントを作成する原画像の画像データ（以下、原画像データという）を取得するもので、フィルムスキャナ２８、メディアドライバ３０、画像データ受信装置３２、およびＩＣタグ読取装置３４を備える。
【００１９】
フィルムスキャナ２８は、ネガフィルムやリバーサルフィルム等の写真フィルム（以下、フィルムとする）に記録されているフィルム画像を光電的に読み取って、得られた画像データを画像処理装置１４に出力する。図１のフィルムスキャナ２８においては、Ｒ（赤），Ｇ（緑），Ｂ（青）の３原色の光をそれぞれフィルムに透過させて、フィルム画像の投影光をエリアＣＣＤセンサ受光面に結像させることで、フィルム画像に応じたＲ，Ｇ，Ｂの信号を得て、Ａ／Ｄ変換によりデジタルの画像データに変換して、画像処理装置１４に出力する。
【００２０】
本実施例のプリントシステム１０では、フィルムスキャナ２８において、記録用の画像データを得るための高解像度での読み取り（ファインスキャン）に先立ち、低解像度での読み取り（プレスキャン）を行って、ファインスキャンでの読取条件（光量の絞り値やＣＣＤセンサの電荷蓄積時間等）を決定し、決定された条件でファインスキャンを行う。プレスキャンによる画像データ（プレスキャンデータ）およびファインスキャンによる画像データ（ファインスキャンデータ）は、画像処理装置１４に出力される。
【００２１】
メディアドライバ３０は、例えばフレキシブルディスク（ＦＤ）、ＺｉｐＴＭ等の磁気ディスク、ＣＤ−Ｒ等の光ディスク、光磁気ディスク（ＭＯ）、デジタルスチルカメラに装填可能なＰＣカードやＳｍａｒｔＭｅｄｉａ（登録商標）　、ＩＣカード等の各種情報記憶媒体の何れかがセットされ、セットされた情報記憶媒体に記憶されている画像データを読み出して画像処理装置１４に出力する。メディアドライバ３０は読取・書込可能な装置を使用し、画像出力装置１６において、画像データの出力にも用いるようにしてもよい。
【００２２】
画像データ受信装置３２は、インターネット等のコンピュータネットワークに接続されており、コンピュータネットワークを介して情報処理装置（例えばパソコン）から画像データを受信し、受信した画像データを画像処理装置１４に出力する。
【００２３】
ＩＣタグ読取装置３４は、後述するプリンタ２４でプリントの裏面（非画像記録面）に付されるＩＣタグから、データを読み取る読取装置である。ＩＣタグ読取装置３４は、プリント裏面のＩＣタグから無線で（非接触で）データを読み取り、読み取ったデータを画像処理装置１４に出力する。
【００２４】
なお、本実施例においては、後述するように、プリンタ２４において、プリントにＩＣタグを付す形態としているので、画像入力装置１２としてＩＣタグ読取装置３４を使用しているが、プリントに付す記憶部として、ＩＣタグ以外の記憶媒体を使用する場合には、画像入力装置１２として、その記憶媒体に応じた読取装置を用意すればよい。
【００２５】
画像処理装置１４は、画像入力装置１２から出力された画像データに画像処理を施して、画像出力装置１６に出力する。画像処理装置１４は、画像データ前処理部３８、第１メモリ４０、第２メモリ４２、第１画像処理部４４および第２画像処理部４６を備えている。
【００２６】
画像データ前処理部３８は、画像入力装置１２から出力された画像データに対し、その画像データを出力した装置に応じた所定の前処理を行う。フィルムスキャナ２８から入力された画像データに対する前処理としては、例えば、暗補正や濃度変換、シェーディング補正、欠陥画素補正等が挙げられる。メディアドライバ３０、画像データ受信装置３２、またはＩＣタグ読取装置３４から入力された画像データに対する前処理としては、例えば、情報記憶媒体に圧縮されて記録されていた画像データ（例えばＪＰＥＧ形式の画像データ）の解凍や、鮮鋭度向上等の画像処理が挙げられる。
【００２７】
画像データ前処理部３８は、フィルムスキャナ２８からのプレスキャンデータを第１メモリ４０へ送り、ファインスキャンデータを第２メモリ４２へ送る。
第１メモリ４０および第２メモリ４２は、画像データを記憶するフレームメモリである。第１メモリ４０は、確認（検定）用の低解像度の画像データを格納し、第２メモリ４２は、出力画像作成用の高解像度の画像データを格納する。
画像データ前処理部３８は、メディアドライバ３０、画像データ受信装置３２、またはＩＣタグ読取装置３４からの画像データは、第１メモリ４０および第２メモリ４２へ各々送るが、このうち第１メモリ４０へは、プレスキャンデータと同程度の低解像度に変換した画像データを送る。
【００２８】
第１画像処理部４４および第２画像処理部４６は、ＣＰＵ、メモリ、各種の画像処理回路等を組み合わせて構成される。
第１画像処理部４４は、第１メモリ４０に記憶された低解像度画像データを読み出し、読み出した画像データが、フィルムスキャナ２８で取得されたプレスキャンデータである場合には、この画像データに基づいて、濃度ヒストグラムの作成や画像特徴量の算出等を行って、フィルムスキャナ２８におけるファインスキャンの読取条件を決定する。決定された読取条件は、制御部１８によって、フィルムスキャナ２８へ通知され、フィルムスキャナ２８はこの条件に従ってファインスキャンを実行する。
【００２９】
また、第１画像処理部４４は、第１メモリ４０から読み出した低解像度画像データを基に、各種の画像処理条件を演算により自動的に設定し（セットアップ演算）、設定された処理条件によって処理された処理画像データを、画像出力装置１６のディスプレイ２２に出力する。オペレータは、ディスプレイ２２に表示された画像に対して画像の検定を行い、画像処理条件を確定する。第１画像処理部４４は、確定された処理条件を第２画像処理部４６に通知する。
なお、再プリント時に、同時プリント時（初回のプリント時）の画像処理条件に関する情報が与えられている場合には、その情報に基づいて画像処理が施されて処理画像データが作成され、ディスプレイ２２に出力される。
【００３０】
前述したように、第２メモリ４２には、決定されたファインスキャン読取条件下で取得されたファインスキャンデータ、あるいは、メディアドライバ３０、画像データ受信装置３２、もしくはＩＣタグ読取装置３４から出力された高解像度画像データが格納されている。
第２画像処理部４６は、第２メモリ４２からこの高解像度画像データを読み出し、確定された、あるいは与えられた画像処理条件のもとに、色／濃度補正、中間階調を保持したダイナミックレンジの圧縮／伸長（画像処理による覆い焼き効果の付与）、電子変倍処理（画像の拡大／縮小）、鮮鋭化処理（シャープネス）等の所定の画像処理を施して処理画像データとし、画像出力装置１６へ出力する。
【００３１】
画像出力装置１６は、画像処理後の画像データを可視化して出力したり、画像データのまま出力するものである。
画像出力装置１６は、画像処理装置１４における画像処理の検定のために、画像処理途中または画像処理後の画像を表示するためのディスプレイ２２、写真プリント（以下、プリントとする）を出力するプリンタ２４、および、出力画像データをＣＤ−Ｒ等の情報記憶媒体に記録するためのメディアドライバ２６を備えている。
【００３２】
プリンタ２４は、感光材料を走査露光して潜像を記録した後、現像処理を行ってプリントを出力する画像出力装置である。プリンタ２４では、第２画像処理部４６から出力された処理画像データが、感光材料（印画紙）の感材面（プリント表面）にプリント画像として記録されると共に、ＩＣメモリを搭載するＩＣタグに記録される。このＩＣタグは、感光材料の裏面（プリント裏面、非感材面）に付される。図２に、プリンタ２４の概略構成を示す。
【００３３】
図２に示されるように、プリンタ２４は、長尺の感光材料Ａをロール状に収めたマガジン５２と、長尺の感光材料Ａを所定長さにカットするカッタ５４と、裏印字手段５６と、露光部５８と、現像部６０と、乾燥部６８と、記録手段７０と、付着手段７１と、ソータ７２と、マガジン５２から露光部５８、現像部６０を経てソータ７２から排出されるまでの全工程を、所定の経路に沿って感光材料Ａを搬送する搬送手段７４とを有する。
【００３４】
裏印字手段５６は、感光材料Ａの裏面に、コマ番号、フィルムＩＤ番号または画像ファイルＩＤ等の原画像の識別情報や、写真の撮影日、プリント焼付日、顧客ＩＤまたはＤＰＥ店ＩＤ等のプリントに関する比較的少ない情報を印字するものである。裏印字手段５６としては、ドットインパクトプリンタ、インクリボン式プリンタ、インクジェットプリンタ等、写真プリンタに利用される各種の裏印字手段がすべて利用可能である。
【００３５】
露光部５８は、記録する画像に応じて変調した光ビームＬによって感光材料Ａを走査露光して感光材料Ａに潜像を記録する、公知の光ビーム走査装置である。露光部５８においては、画像処理装置１４（第２画像処理部４６）から出力された画像データに応じて変調された光ビームＬが射出され、記録位置において主走査方向と直交する方向（副走査方向）に搬送される感光材料Ａを走査露光することで、感光材料Ａに潜像を記録する。
【００３６】
現像部６０は、感光材料Ａに記録された潜像を現像する。現像部６０は、発色現像槽６２、漂白定着槽６４、水洗槽６６ａ，６６ｂ，６６ｃおよび６６ｄを有する。感光材料Ａは、搬送手段７４によって搬送され、これらの各槽に順次浸漬されて、発色現像、漂白・定着および水洗の各処理を施される。これにより、感光材料Ａに露光記録された画像が可視化される。
【００３７】
乾燥部６８は、現像処理された感光材料Ａを搬送手段７４によって搬送しつつ、例えば温風等によって乾燥させる。
【００３８】
記録手段７０は、感光材料Ａ（プリント）に記録された画像の関連情報をＩＣタグに記録し、付着手段７１は、感光材料Ａの裏面にそのＩＣタグを付する。
ここで、関連情報とは、例えばプリントに記録された画像の画像データ（原画像データの他、中間処理画像データおよび最終処理画像データを含む）、画像処理情報、原画像撮影時のカメラ情報や撮影位置情報等の撮影情報、被写体関連情報、顧客が入力するメッセージ情報、プリントサービス提供者（ＤＰＥ店やラボ等）が提供する広告情報、プリントの著作権情報、顧客ＩＤやラボＩＤ、プリントＩＤ、画像ファイルＩＤ等のプリント識別情報等である。
【００３９】
図３は、プリンタ２４から出力されるプリントの一例を示す概念図であり、（Ａ）はプリント表面、（Ｂ）はプリント裏面を表す。図に示すように、プリント裏面にＩＣタグＴが付される。
ＩＣタグＴは、無電源で、内部にＩＣメモリ（記憶部）、アンテナ、通信に必要な制御回路等を有し、無線により非接触でＩＣメモリ内のデータの授受が可能な記憶媒体である。記録手段７０は、画像処理装置１４（第２画像処理部４６）または制御部１８から出力されたプリントの関連情報を、ＩＣタグＴが有するＩＣメモリに記録し、付着手段７１は、記録された内容に対応する感光材料Ａの裏面にそのＩＣタグＴを付して、仕上がりプリントとしてソータ７２に排出する。
【００４０】
なお、本実施例では、記録手段７０でＩＣタグＴに関連情報を記録した後、付着手段７１でこのＩＣタグＴを感光材料Ａに付しているが、記録手段７０よりもプリント搬送経路の上流側に付着手段７１を設け、付着手段７１で感光材料ＡにＩＣタグＴを付した後に、記録手段７０で同一の感光材料Ａ（プリント）の関連情報をＩＣタグＴに記録する形態としてもよい。
また、ＩＣタグＴの付着面は感光材料Ａの裏面には限定されず、どこに付されてもよいが、好ましくは、感光材料Ａの表面の画像が記録された領域以外がよい。付着手段７１による付着方法も、感光材料Ａに記録された画像の鑑賞を妨げないようにＩＣタグＴを感光材料Ａに固定できれば、どのような方法を用いてもよい。
【００４１】
また、感光材料Ａの裏面に付する記憶媒体は、ＩＣタグには限定されず、無線でデータの授受が可能であり、保持したい情報量に十分な記憶容量を有し、かつ、感光材料Ａに付すのに適したサイズであれば、どのような記憶媒体を利用してもよく、この場合、記録手段７０および付着手段７１には、記憶媒体に応じた記録手段および付着手段を用いればよい。
【００４２】
ソータ７２は、上下方向に配列された複数の棚（ビン）を有する公知のソータであり、各棚がプリント排出口に対応するように、公知の手段で上下動される。ソータ７２は、例えば、１オーダ単位（通常はフィルム１本）、指定枚数単位、もしくはＩＣタグＴに記憶された情報に応じて、棚を上下に移動し、所定の棚をプリント排出口に対応させることにより、写真プリントを各棚に仕分けする。
【００４３】
搬送手段７４は、感光材料Ａをプリンタ２４の所定の経路で搬送する、公知の搬送手段である。搬送手段７４は、感光材料Ａの搬送方向の長さよりも短い間隔で配列された複数の搬送ローラ対や、ガイド板、ガイドローラ等から構成される。搬送ローラ対等は、図示されるもの以外にも適宜、連続的に配置されている。
【００４４】
以上のようにして、一方の面に画像が再現され、裏面に、このプリントに出力される画像の関連情報を記憶したＩＣタグＴが付されたプリントが、プリンタ２４より出力される。
【００４５】
制御部１８は、このようなプリントシステム１０全体の制御や管理、各種の操作や条件設定等を行うもので、画像入力装置１２、画像処理装置１４および画像出力装置１６に接続されると共に、指示入力のためのキーボードやマウス等のキー入力部２０が接続されている。また、制御部１８は、ＩＣタグ読取装置３４で読み取った関連情報のうち画像処理装置１４で処理されない情報や、キー入力部２０から入力された関連情報を、プリンタ２４に出力する。
【００４６】
以下、顧客から同時プリントの注文があった場合に、プリントに記録される画像の画像データを、関連情報としてＩＣタグＴに記録するときの、プリントシステム１０の作用を説明する。
顧客が、画像が撮影されたフィルムをＤＰＥ店等に持ち込んで、同時プリントの注文をすると、オペレータは、そのフィルムをフィルムスキャナ２８にセットする。フィルムスキャナ２８は、セットされたフィルムに記録された画像から入力画像データを得て、画像データ前処理部３８に送信する。
また、顧客が、画像データが記録された記録メディアをＤＰＥ店等に持ちこむか、あるいは、インターネット等を介して画像データをＤＰＥ店等に送信し、プリントの注文をすると、メディアドライバ３０または画像データ受信装置３２が、入力画像データを取得して、画像データ前処理部３８に送信する。
【００４７】
画像データ前処理部３８は、入力画像データに所定の前処理を施し、プレスキャンデータまたは低解像度化した画像データを第１メモリ４０に送るとともに、ファインスキャンデータまたは高解像度の画像データを第２メモリ４２に送る。第１画像処理部４４は第１メモリ４０に記憶された低解像度画像データを読み出し、画像処理条件を自動的に設定（セットアップ演算）して画像処理を施し、ディスプレイ２２に表示する。オペレータは、ディスプレイ２２に表示された画像に対して検定を行い、画像処理条件を確定する。第１画像処理部４４は、確定された画像処理条件を第２画像処理部４６に通知する。
【００４８】
第２画像処理部４６は、第１画像処理部４４で処理した画像と同一の画像の、高解像度画像データを第２メモリ４２から読み出し、第１画像処理部４４から通知された画像処理条件に従って画像処理を施し、処理画像データをプリンタ２４の露光部５８および記録手段７０へ出力する。
【００４９】
ここで、第２画像処理部４６は、プリント表面への画像記録用の処理画像データを、プリント裏面に付するＩＣタグＴへの記録用として、記録手段７０にも出力しているが、ＩＣタグＴへ記録する関連情報としての画像データは、画像記録用の処理画像データには限定されず、画像処理前の画像データ（原画像データ）、または、画像処理の中間段階の画像データ（中間処理画像データ）であってもよい。
このような画像データは、一般にデータ量が大きいので、ＪＰＥＧ等の公知の圧縮方式によって、再プリント時の画像の品質にあまり影響のない範囲で圧縮した後、記録手段７０に出力してもよい。
【００５０】
また、第２画像処理部４６において、第２メモリ４２から読み出した画像データに施される画像処理条件を示す画像処理情報を作成し、ＩＣタグ記録用の画像データと合わせて関連情報として、プリンタ２４の記録手段７０に出力するのも好ましい。
また、原画像データを取得した画像入力装置１２の種類やその特性を示す入力デバイス情報を、上記いずれかの画像データと合わせて関連情報として、プリンタ２４に出力するのも好ましい。
以下では、この画像処理情報および入力デバイス情報の一方または両方を、画像情報と称する。
【００５１】
プリンタ２４は、露光部５８で、感光材料Ａの表面に、第２画像処理部４６から出力された処理画像データによってプリント画像を記録する（図３（Ａ）参照）。また、記録手段７０で、第２画像処理部４６から出力された画像データ、および、好ましくは画像情報を関連情報としてＩＣタグＴに記録し、付着手段７１で、このＩＣタグＴを感光材料Ａの裏面に付して（図３（Ｂ）参照）、仕上がりプリントとして出力する。
また、顧客から、画像データのＣＤ−Ｒ等への記録が注文されていた場合には、第２画像処理部４６で作成された処理画像データ、および、好ましくは画像情報を含む関連情報がメディアドライバ２６でＣＤ−Ｒ等に記録される。
【００５２】
このように、プリントに記録される画像の画像データおよび画像情報を関連情報としてＩＣタグＴに記録したとき、顧客から再プリントの注文があった場合のプリントシステム１０の作用について、以下説明する。
同時プリント時（初回のプリント時）にプリントシステム１０によってプリントされ、裏面にそのプリントの関連情報として画像データおよび画像情報を記憶したＩＣタグＴが付されたプリントを、顧客がＤＰＥ店等に持ち込んで再プリントの注文をすると、オペレータは、そのプリントのＩＣタグＴをＩＣタグ読取装置３４で読み取り、再プリントの枚数を、キー入力部２０によって制御部１８に入力する。
【００５３】
ＩＣタグ読取装置３４は、プリントの裏面に付されたＩＣタグＴに記憶された関連情報を読み取って、画像データおよび画像情報（画像処理情報ならびに入力デバイス情報）を得て、画像データ前処理部３８に出力する。
ここで、ＩＣタグ読取装置３４は、各プリントのＩＣタグＴを無線で読み取ることができ、また複数のＩＣタグを一度に読み取ることもできるので、原画像の記録されたフィルムをフィルムスキャナ２８等で読み取ったり、元のプリントの画像を反射型スキャナで読み取ったりする場合に比べ、簡単な作業で、かつ、短時間で、画像データを取得することができる。このように短時間で画像データおよび画像情報を取得した後、元のプリントを顧客に返却することも可能である。
【００５４】
ＩＣタグ読取装置３４から送信された画像データは、画像データ前処理部３８を経て第２メモリ４２に記憶されるとともに、低解像度化された画像データが第１メモリ４０に記憶される。一方、ＩＣタグ読取装置３４から送信された画像処理情報および入力デバイス情報は、第１メモリ４０を経由して第１画像処理部４４に送られる。
【００５５】
第１画像処理部４４は第１メモリ４０に記憶された低解像度画像データを読み出し、ＩＣタグ読取装置３４から送られた画像処理情報および入力デバイス情報に従って設定した画像処理条件で画像処理を施して、ディスプレイ２２に表示する。オペレータは、ディスプレイ２２に表示された画像に対して検定を行い、画像処理条件を決定する。第１画像処理部４４は、確定された画像処理条件を第２画像処理部４６に通知する。
【００５６】
ここで、画像処理情報および入力デバイス情報から設定される画像処理条件は、各画像処理ごとに調整可能であるのが好ましい。この場合、顧客の要望に応じて、画像処理条件を変更することができる。顧客の要望に応じた画像処理条件としては、例えば、濃度や色味の修正、シャープネス調整、プリントサイズの変更、カラー画像からモノトーン画像やセピアカラー画像等への色調変換等が挙げられる。また、最新の画像処理アルゴリズムを適用可能としてもよい。
【００５７】
第２画像処理部４６は、第２メモリ４２から該画像データを読み出し、第１画像処理部４４から通知された画像処理条件に従って画像処理を施し、処理画像データをプリンタ２４へ出力する。
ここで、画像処理を施す画像データは、元のプリントに付されたＩＣタグＴから読み出された画像データなので、プリント画像をスキャナで読み取って原画像データを得る場合のように、元のプリントを出力したプリンタの性能や、プリント画像を読み取るスキャナの性能等の影響を受けることがない。また、元のプリントの画像が褪色していたり、画像上に汚れや落書き、折れ線等の損傷があった場合にも、初回に出力されたものと同画質のプリントを作成できる。
【００５８】
また、ＩＣタグＴに記憶された情報から、同時プリント時（初回のプリント時）の画像処理情報および入力デバイス情報が得られているので、画像データに、同時プリント時と同様の画像処理を行ったり、同時プリント時の入力デバイスの特性に応じた画像処理を行うことができ、同時プリント時に出力されたものと同画質のプリントを作成できる。
【００５９】
第２画像処理部４６で作成された、画像記録用の処理画像データと、ＩＣタグ記録用の処理画像データまたは処理前の画像データ（原画像データ）は、共にプリンタ２４に送られる。ここで、ＩＣタグ記録用の画像データは、再プリント時の原画像データ、すなわち初回プリント時の原画像データもしくは処理画像データと、再プリント時の処理画像データの、いずれか一方でもよいし、その両方でもよい。また、同時プリント時の入力デバイス情報や、画像処理条件、さらに、再プリント時に変更された画像処理条件等から画像情報を作成し、ＩＣタグ記録用の画像データと併せてプリンタ２４に出力するのも好ましい。
【００６０】
プリンタ２４は、感光材料Ａの表面に、第２画像処理部４６から出力された処理画像データをもとにプリント画像を記録し、感光材料Ａの裏面に、同じく第２画像処理部４６から出力されたこのプリントの画像データおよび画像情報を含む関連情報を記憶したＩＣタグＴを付して、制御部１８から指示された枚数のプリントを出力する。
また、顧客から、画像データのＣＤ−Ｒ等への記録が注文されていた場合には、第２画像処理部４６で作成された処理画像データ、および、好ましくは画像情報がメディアドライバ２６でＣＤ−Ｒ等に記録される。
【００６１】
上記では、再プリントするプリントのＩＣタグＴに、関連情報として画像データおよび画像情報が記録されていた例について説明したが、ＩＣタグＴに画像情報が記録されていなかった場合には、例えば、特開平１１−３３８０６２号公報のプリントシステムと同様に、同時プリント時に、プリント裏面にプリントの識別情報（プリントＩＤ）を印字するか、ＩＣタグＴにプリントＩＤを記録し、このプリントの画像に施した画像処理情報をプリントＩＤと関連付けて記憶手段に記憶しておき、再プリント時には、再プリントするプリントのプリントＩＤに対応する画像処理情報をこの記憶手段から読み出して、同時プリント時と同様の画像処理を施す等の方法により、同時プリント時と同様の画像処理条件を得る形態としてもよい。
【００６２】
また、ＩＣタグＴにはプリントのプリントＩＤのみを記録する方法も可能である。この場合、画像データ、画像処理情報、その他各種の関連情報は、プリントＩＤと関連付けて、顧客のパソコン（ＰＣ）またはプリントサービス提供者（ラボ）のコンピュータ（サーバ）に保存される。
このようなプリントの再プリント時には、ＩＣタグＴからプリントＩＤを読み出し、このプリントＩＤを元に、このプリントの関連情報をネットワークを介して顧客のＰＣから検索するか、またはラボのサーバにアクセスして検索し、画像データおよび画像処理情報等の関連情報を得て、以下、上述した例と同様にプリント作成処理を行えばよい。その他各種の関連情報が得られていれば、関連情報の種類に応じた処理を行って、プリント作成処理を行ってもよい。
【００６３】
次に、プリント関連情報として、プリントのＩＣタグＴに、顧客が入力したメッセージや、ラボが提供する広告等の情報を記録する場合について、同じく図１を参照して説明する。
【００６４】
プリント作成に際して、顧客によるメッセージやラボによる広告等の情報が、プリントシステム１０のキー入力部２０等から入力されるか、あるいは、ＰＣ等で作成された上記のデータがメディアドライバ３０または画像データ受信装置３２で取得されると、これらの情報はプリンタ２４の記録手段７０に送られ、ＩＣタグＴに記録されて、付着手段７１でプリント裏面に付される。
あるいは、ＩＣ書込装置を別途設け、ＰＣ等で作成した上記のデータをこのＩＣ書込装置に送って、プリント作成後にＩＣタグＴへのデータの記録が可能な形態としてもよい。
なお、メッセージや広告等の情報は、画像や文字データの他、動画データや、さらに音声データであってもよい。
【００６５】
再プリントの注文があったプリントのＩＣタグＴに、メッセージや広告等の情報が記憶されていた場合には、再プリント処理時に、これらの情報がＩＣタグ読取装置３４によって読み出され、画像データ前処理部３８、第１メモリ４０を経由して、第１画像処理部４４に送られる。
ＩＣタグＴに画像データ、画像情報等も記録されていた場合の処理方法は、上述の例と同様なので、説明を省略する。
【００６６】
これらのメッセージや広告等の情報は、データの種類に応じて、または、キー入力部２０等からの指示に応じた形態でプリントに記録される。すなわち、第１画像処理部４４で処理画像データに合成され、オペレータによる検定を経て、第２画像処理部４６で合成画像データが作成され、合成画像データがプリンタ２４に送られてプリント画像として記録されるか、あるいは、これらの情報がそのままプリンタ２４に送られ、プリントの表面または裏面に文字等が記録される。
また、このようなメッセージや広告等の情報の全部または一部は、第２画像処理部４６からプリンタ２４の記録手段７０に送られ、関連情報としてＩＣタグＴに記録されて、付着手段７１でこのＩＣタグＴがプリントの裏面に付される。
【００６７】
なお、ＩＣタグ読取装置３４が、メッセージや広告等の情報を第２画像処理部４６に送り、合成画像データ作成等の処理を第２画像処理部４６で行う形態としてもよい。
また、プリント鑑賞時に、プリント裏面のＩＣタグに記録されたメッセージ情報を、所定の再生手段で再生しながらプリント鑑賞を行うようにしてもよい。
【００６８】
次に、プリント関連情報として、プリントの著作権に関する情報をＩＣタグＴに記録する場合について、同じく図１を参照して説明する。この著作権情報は、そのプリントが著作権保護のため複製禁止であることや、複製許可枚数に制限があること、複製時の解像度に制限があること等を示すものである。
【００６９】
このような著作権情報が、プリントシステム１０のキー入力部２０等から入力されるか、あるいは、ＰＣ等で作成された著作権情報がメディアドライバ３０または画像データ受信装置３２で取得されると、この情報はプリンタ２４の記録手段７０に送られ、関連情報としてＩＣタグＴに記録されて、付着手段７１でこのＩＣタグＴがプリントの裏面に付される。
あるいは、ＩＣ書込装置を別途設け、ＰＣ等で作成した上記のデータをこのＩＣ書込装置に送って、プリント作成後にＩＣタグＴへのデータの記録が可能な形態としてもよい。
【００７０】
再プリントの注文があったプリントのＩＣタグＴに、著作権情報が記憶されていた場合には、再プリント処理時に、この情報がＩＣタグ読取装置３４によって読み出され、画像データ前処理部３８、第１メモリ４０を経由して、第１画像処理部４４に送られる。
ＩＣタグＴに画像データ、画像情報等も記録されていた場合の処理方法は、上述の例と同様なので、説明を省略する。
【００７１】
第１画像処理部４４は、著作権情報を受け取ると、その内容に応じた処理を行う。例えば、著作権情報により、そのプリントの複製が禁止されていれば、プリントの複製が禁止されていることを、ディスプレイ２２への表示や音声出力等により出力して、そのプリントの複製（再プリント）処理を中断する。
【００７２】
また、例えば、著作権情報により、そのプリントの複製許可枚数が制限されていれば、第１画像処理部４４は、複製処理を行うと共に、処理中の複製枚数をＩＣタグＴに記録する。この場合、ＩＣタグ読取装置３４を書込み可能な装置とし、元のプリントのＩＣタグＴに複製枚数を記録して、複製されたプリントからは複製不可とする等の方法により、複製枚数を制限できる。または、元のプリントからの複製を不可とし、プリンタ２４において、新しく複製されたプリントのＩＣに複製許可枚数を記録してもよい。処理中の複製枚数が、著作権情報の複製許可枚数に達していたら、プリントの複製許可枚数を超えたことを、ディスプレイ２２への表示や音声出力等により出力して、複製処理を中断する。
【００７３】
また、例えば、著作権情報により、そのプリントの複製時の解像度が制限されていれば、第１画像処理部４４は、処理画像が、著作権情報に制限された解像度以下となるように画像処理条件を設定し、第２画像処理部４６で、制限解像度以下の画像データが作成されて、プリンタ２４に出力される。プリンタ２４で作成されるプリントにも著作権情報を記憶したＩＣタグＴを付し、プリントの複製を制限することができる。
【００７４】
このようにして、プリントのＩＣタグＴに、著作権情報、すなわち、プリントの複製禁止や、複製枚数の制限、複製解像度の制限等の情報を記憶させることで、プリントの複製を制限することができる。
【００７５】
なお、ＩＣタグ読取装置３４が読み取った著作権情報を第２画像処理部４６に送り、上述の処理を第２画像処理部４６で行う形態としてもよい。
【００７６】
次に、プリント関連情報として、プリント画像の画像データおよびプリント画像に関する付加的な情報を、ＩＣタグＴに記録する例について説明する。
【００７７】
本出願人の出願に係る、特開２０００−６６３１２号公報では、カメラやデジタルカメラ等で写真を撮影し、写真プリントや表示画像として再生して出力する画像再生方法であって、画像の撮影時に、撮影日時、撮影位置、撮影方位、および撮影倍率等の撮影情報を、フィルムやフィルムに付帯するメモリに記録しておき、撮影画像をプリントとして出力したり、モニタやプロジェクタによって表示する等により再生する際に、その撮影情報をもとに、撮影状況または撮影画像の被写体に関連する付加情報をデータベース等の中から選択して、選択された文字データ、文書データ、音声データ、静止画像データまたは動画像データ等の付加情報を、撮影画像に付加して再生する画像再生方法が開示されている。図４（Ａ）、（Ｂ）および（Ｃ）に、この画像再生方法の流れを示す。
【００７８】
ここで図４（Ａ）は、ＡＰＳ（Ａｄｖａｎｃｅｄ　Ｐｈｏｔｏ　Ｓｙｓｔｅｍ　）の例で、ＡＰＳフィルムの磁気記録領域に撮影情報が記録されており、磁気読取装置で記録内容を読み取る。また図４（Ｂ）は、１３５フィルムの例で、撮影情報がフィルムの現像前に光学的に記録されており、公知の文字認識技術によって記録内容を読み取る。図４（Ｃ）は、ＡＰＳ対応カメラでの撮影の際に、人工衛星を用いたＧＰＳ（Ｇｌｏｂａｌ　Ｐｏｓｉｔｉｏｎｉｎｇ　Ｓｙｓｔｅｍ　）を利用し、さらに方向探知機用方位指示器を付加したＡＰＳ対応カメラで撮影することにより、撮影情報として、撮影した場所の緯度、経度、および高度、さらには水平面および垂直面に関する撮影方位角が磁気記録領域に記録されるほか、撮影時の撮影倍率も記録することができる例であり、この撮影情報は、磁気読取装置で読み取られる。一方、デジタルスチルカメラで撮影した場合には、画像データとともに撮影情報が情報記憶媒体に記憶される。
【００７９】
本発明に係るプリントシステムを、このように、撮影時に記録された撮影情報を読み取って、付加情報を取得するシステムとした場合について、図５を参照して説明する。図５は、本発明に係るプリントシステムの別の実施例の概略構成を示す図である。
同図に示すプリントシステム１１０は、図１のプリントシステム１０と基本的に同様の構成を有している。プリントシステム１１０については、前述したプリントシステム１０と同様の部分には符号の下２桁に同一の符号を付して説明を省略し、異なる部分を主に説明する。
【００８０】
図５に示されるように、プリントシステム１１０の画像処理装置１１４は、図１のプリントシステム１０の画像処理装置１４に対し、さらに付加情報取得部１５０を付け加えた構成となっている。付加情報取得部１５０は、撮影日時、撮影位置、撮影方位、および撮影倍率等の撮影情報に基づいて付加情報を選択する付加情報選択部（図示省略）と、付加情報として引用する、撮影状況または撮影画像の被写体に関連する各種のデータを蓄えたデータベース部（図示省略）とから構成される。
また、フィルムスキャナ１２８は、上述のフィルム画像読み取り機能に加え、磁気読取装置または文字認識手段を有する。
【００８１】
このようなプリントシステム１１０においては、上述のプリントシステム１０の例と同様に画像データを取得するとともに、フィルムスキャナ１２８によってフィルムに記録された撮影情報を読み取るか、あるいは、メディアドライバ１３０または画像データ受信装置１３２によって撮影情報を取得して、この撮影情報を、画像データ前処理部１３８、第２メモリ１４２を経由して第２画像処理部１４６へ送信する。画像処理装置１１４における画像データの処理方法は、上述のプリントシステム１０の例と同様なので、説明を省略する。
【００８２】
第２画像処理部１４６は、この撮影情報を付加情報取得部１５０に送り、付加情報取得部１５０から付加情報を出力させる。
付加情報取得部１５０から出力される付加情報データは、文字データ、文書データ、音声データ、静止画像データおよび動画像データや、これらの１つまたはいくつかを同時に再生させるためのプログラム等である。
【００８３】
これらの付加情報は、データの種類に応じて、または、キー入力部１２０等からの指示に応じて、第２画像処理部１４６において処理画像データに合成され、合成画像データがプリンタ１２４に送られてプリント画像として記録されるか、付加情報がそのままプリンタ１２４に送られ、プリントの表面または裏面に文字等が記録される。
また、このような付加情報の全部または一部は、関連情報として第２画像処理部１４６からプリンタ１２４（図２参照）の記録手段７０に送られ、関連情報としてＩＣタグＴに記録されて、付着手段７１でこのＩＣタグＴがプリントの裏面に付される。
【００８４】
なお、撮影情報を第１画像処理部１４４へ送信し、第１画像処理部１４４が、付加情報取得部１５０から付加情報を取得し、第１画像処理部１４４において、付加情報を画像データに合成して、ディスプレイ１２２に表示することにより、オペレータが合成画像の修正を指示できる形態としてもよい。
【００８５】
このようなプリントシステム１１０で作成されたプリントの再プリント時には、プリントの裏面に付されたＩＣタグＴが記憶する画像データおよび付加情報がＩＣタグ読取装置１３４によって読み取られ、画像処理装置１１４に送られる。
【００８６】
画像処理装置１１４では、上述のように、処理画像データおよび合成画像データが作成されるとともに、ＩＣタグ記録用の画像データおよび付加情報が作成される。この際、付加情報は、元のプリントのＩＣタグＴに記録された関連情報から得られるので、付加情報取得部１５０で取得しなくともよいが、前回のプリント作成後に、付加情報取得部１５０に記憶されている被写体関連情報が更新されていたり、追加されていた場合には、最新の被写体関連情報を付加情報として取得してもよい。
【００８７】
画像処理装置１１４で作成された各データは、プリンタ１２４に出力される。プリンタ１２４では、画像データが感光材料Ａの表面に記録され、この画像が記録されたプリントに関する各種の情報を記憶したＩＣタグＴが、感光材料Ａの裏面に付されて、仕上がりプリントとして出力される。
【００８８】
以上説明したように、本発明のプリントは裏面に付されたＩＣタグＴに様々な情報を記録することができるため、ＩＣタグ読取装置１３４でプリント裏面のＩＣタグからこれらの付加情報を読み取り、得られた付加情報のデータを、通信ケーブルやインターネット等の公知の通信手段によりＰＣ（パソコン）やＰＤＡ（Ｐｅｒｓｏｎａｌ　Ｄｉｇｉｔａｌ　Ａｓｓｉｓｔａｎｔ）、携帯電話等へ転送したり、情報記憶媒体を介して付加情報データをこれらの装置に移して、そのプリントの付加情報をこれらの装置で再生しながら、プリントを鑑賞することもできる。
【００８９】
また、画像データおよび付加情報に加えて、画像情報やその他各種の関連情報をプリントに付したＩＣタグＴに記憶するのも好ましい。
【００９０】
上述した例では、何れも、同時プリント時（初回のプリント時）に、プリントのＩＣタグＴに画像データを記録し、再プリント時にこれを読み取って原画像データとすることで、初回のプリントと同等のプリント画像を再現しているが、さらに別の例として、プリントのＩＣタグＴに画像データを記録せず、画像特徴量のみを記録し、再プリント時には、プリント画像を反射型スキャナで読み取って基礎となる画像データを取得し、プリントのＩＣタグＴを読み取って得られた画像特徴量によって、基礎画像データを補正して、初回のプリントと同等のプリント画像を再現することもできる。
【００９１】
画像特徴量としては、濃度や色味の変動、シャープネスの変動、幾何歪み等のデータを取得するのがよい。また、上述の例と同様に、画像情報もＩＣタグＴに記録し、再プリント時に、この情報に応じた画像処理を施すのも好ましい。
この方法によれば、元のプリント画像が褪色していた場合や、汚れや折れ線等の損傷があった場合にも、そのプリント固有の画像特徴量によって画像データが補正されるので、初回に出力されたものと同画質のプリントを出力できる。
【００９２】
次に、本発明のプリントを利用したプリントシステムの他の例について、図６を参照して説明する。図６は、本発明に係るプリントシステムの別の実施例の概略構成を示す図である。
同図に示すプリントシステム２１０は、図１のプリントシステム１０と基本的に同様の構成を有している。プリントシステム２１０については、前述したプリントシステム１０と同様の部分には符号の下２桁に同一の符号を付して説明を省略し、異なる部分を主に説明する。
【００９３】
図６に示されるように、プリントシステム２１０は、図１のプリントシステム１０に対し、さらに注文受付装置２４８および処理順序設定部２３６を付け加えた構成となっている。本実施例においては、プリントのＩＣタグＴに、画像データ、または、プリントＩＤもしくは画像ファイルＩＤ等の画像データを特定する情報が、関連情報として予め記憶されている。
このようなプリントシステム２１０は、再プリント注文受付時にプリントのＩＣタグＴに注文情報を記録し、この注文情報に応じて、最適な処理順序で再プリント処理を行い、作成されたプリントを、プリントのＩＣタグＴの注文情報をもとに、顧客別等に並び替えて出力するようにすることで、ラボ等における作業を効率化するものである。
【００９４】
注文受付装置２４８は、プリントのＩＣタグＴに注文情報を記録するもので、制御部２１８に接続されている。注文情報とは、顧客ＩＤ、プリント枚数、プリントサイズ、感光材料（印画紙）の種類（光沢、絹目等）、画像処理に関する要望等の、再プリント注文に関する情報であり、これらの情報は、キー入力部２２０により入力される。
【００９５】
ＩＣタグ読取装置２３４は、ＩＣタグＴに記憶されている関連情報、すなわち、画像データまたはプリントＩＤ等、および注文受付装置２４８で記録された注文情報を含む各種の情報を読み出し、処理順序設定部２３６に送る。
【００９６】
処理順序設定部２３６は、ＩＣタグ読取装置２３４から送られた注文情報の内容から、複数のプリントについて最適な処理順序を設定し、各プリントの関連情報を設定した順序に並べ替えて、画像処理装置２１４に送る。ここで、最適な処理順序とは、サイズ毎や同一画像のプリント枚数毎に並べ替えた順序、急ぎのプリントを優先させた順序、顧客毎に並べた順序等であり、プリントシステム２１０として使用するプリンタ２２４の処理能力および台数等において、最も効率良く処理できる順序である。
【００９７】
処理順序設定部２３６で最適な処理順序に並べ替えられた各プリントの関連情報は、順次、画像処理装置２１４に送られる。
ここで、再プリントの原画像データがフィルムスキャナ２２８、メディアドライバ２３０または画像データ受信装置２３２から得られる場合には、これらから得られた原画像データが画像処理装置２１４に出力され、関連情報のプリントＩＤや画像ファイルＩＤにより関連情報と原画像データが関連付けられる。また、プリントＩＤを元に、顧客のＰＣまたはプリントサービス提供者のコンピュータ等から画像データが得られる場合には、得られた画像データが関連情報と関連付けられて、以後の処理が行われる。
【００９８】
画像処理装置２１４では、上述の例と同様の方法で画像処理が施される。画像処理装置２１４で作成された処理画像データ等は、画像記録用およびＩＣタグ記録用として、プリンタ２２４に出力される。
【００９９】
プリンタ２２４としては、上述の例と同様に、図２に示されるデジタルフォトプリンタが使用され、その構成は、基本的に上述の例と同様である。
プリンタ２２４では、画像処理装置２１４から出力された処理画像データによって、感光材料Ａの表面に画像を記録するとともに、記録手段７０で、画像データ、注文情報等のプリント関連情報をＩＣタグＴに記録して、付着手段７１でこのＩＣタグＴを感光材料Ａの裏面に付する。
【０１００】
プリンタ２２４のソータ７２は、付着手段７１で付したＩＣタグＴに記憶されている注文情報に従って、棚を上下に移動し、所定の棚をプリント排出口に対応させることにより、各プリントが顧客別にまとまるように、プリントを各棚に仕分けする。
【０１０１】
以下、顧客から再プリントの注文があった場合の、プリントシステム２１０の作用を説明する。
上述のようにして、同時プリント時（初回のプリント時）にプリントシステム２１０等によってプリントされ、裏面にそのプリントの画像データまたはプリントＩＤ等を含む関連情報を記憶するＩＣタグＴが付されたプリントを、顧客がＤＰＥ店等に持ち込んで再プリントの注文をすると、オペレータは、キー入力部２２０により注文内容を入力し、その内容を注文情報として、注文受付装置２４８により、各プリントのＩＣタグＴに記録する。
【０１０２】
そして、オペレータは、各プリントのＩＣタグＴをＩＣタグ読取装置２３４で読み取る。ＩＣタグ読取装置２３４は、プリントの裏面に付されたＩＣタグＴに記憶された関連情報を読み取って、注文情報、画像データまたはプリントＩＤ等を得て、処理順序設定部２３６に送る。
【０１０３】
処理順序設定部２３６は、関連情報を、最適な処理順序、すなわち、サイズ毎やプリント枚数毎、感光材料（印画紙）の種類毎、画像処理の種類毎等にまとめた順序、急ぎのプリントを優先させた順序、顧客毎に並べた順序等、プリンタ２２４の処理能力や台数、ＤＰＥ店やラボの状況、顧客の状況に応じた順序等に並べ替えて、画像処理装置２１４に送る。
画像処理装置２１４における画像データ等の処理方法は、上述の例と同様なので、説明を省略する。画像処理装置２１４で作成された画像記録用の画像データおよびＩＣタグ記録用の画像データ等は、画像出力装置２１６に出力される。
【０１０４】
画像出力装置２１６のプリンタ２２４は、露光部５８で、感光材料Ａの表面に、画像処理装置２１４から出力された処理画像データをもとにプリント画像を記録して、注文された枚数のプリントを作成する。また、記録手段７０で、画像処理装置２１４または制御部２１８から送られた注文情報と、画像処理装置２１４から出力されたこのプリントの画像データ等をＩＣタグＴに記録し、付着手段７１で、そのＩＣタグＴを感光材料Ａの裏面に付して、仕上がりプリントとして出力する。
【０１０５】
ソータ７２では、記録手段７０でＩＣタグＴに記録した注文情報に従って棚を上下に移動し、例えば、プリントを注文した顧客毎に、あるいは、プリントサイズ毎に仕分けされるように、各棚がプリント排出口に位置される。
【０１０６】
また、顧客から、画像データのＣＤ−Ｒ等への記録が注文されていた場合には、画像処理装置２１４で作成された処理画像データ等のプリント関連情報が画像出力装置２１６のメディアドライバ２２６でＣＤ−Ｒ等に記録される。
【０１０７】
このように、再プリント時に、複数の顧客の注文や各種のプリントサイズの注文に応じてその処理の順序を並べ替えて、プリンタ２２４の処理能力および台数等において最も効率良く処理できる順序で再プリント処理を行うので、再プリントの処理効率を向上させることができる。
また、複数の顧客の注文や各種のプリントサイズの注文を取り混ぜて処理しても、プリント出力部において、顧客毎あるいはプリントサイズ毎に仕分けして排出するので、ＤＰＥ店やラボ等の作業の負担を軽減することができる。
【０１０８】
なお、本実施例においては、プリンタ２２４の記録手段７０からの関連情報（注文情報）によりソータ７２で、仕上がりプリントを顧客別等に仕分けして排出するものとしたが、本発明はこれには限定されず、ＩＣタグ読取機能とプリント並べ替え機能を有するソータを別に設け、プリンタ２２４から仕上がり順に出力されたプリントを、このソータにセットして、このソータがＩＣタグＴから読み取った注文情報に従って、顧客別、プリントサイズ別等に並べ替える形態としてもよい。この方法によれば、画像出力装置２１６として複数のプリンタを使用した場合にも、これら複数のプリンタから出力されたプリントを、各プリントのＩＣタグＴに記録された注文情報に従って、顧客毎等に並べ替えることができ、ラボやＤＰＥ店等の作業の負担を軽減することができる。
【０１０９】
以上、本発明のプリントシステムについて詳細に説明したが、本発明は上記実施例に限定されず、本発明の趣旨を逸脱しない範囲において、種々の改良や変更を行ってもよいのはもちろんである。
【０１１０】
【発明の効果】
以上詳細に説明したように、本発明のプリントシステムによれば、鑑賞用に作成されるプリントに、プリントに出力される画像の関連情報を記録したＩＣタグを付し、再プリント時には、このＩＣタグを読み取って得たプリント関連情報を元にプリントを作成するので、プリント関連情報を別途保管する必要が無く、鑑賞用のプリントから、再プリントに有用な情報を取得し、再プリント処理に役立てることができる。
【０１１１】
また、本発明のプリントシステムの一態様では、鑑賞用のプリントに、プリント画像の画像データを記録したＩＣタグを付し、再プリント時には、このＩＣタグを読み取って得た画像データを元にプリントを作成するので、プリントの原画像を記録したフィルムや原画像データを保管する必要がなく、鑑賞用のプリントのみから、同一画像のプリントを同等の品質で安定的に複製することができる。
【０１１２】
これにより、再プリントを注文する顧客は、フィルムや画像データを管理したり、フィルムや画像データを検索する等の煩雑な作業を行うことなく、また、フィルムや画像データをＤＰＥ店等に持ち込むことなく、再プリントしたいプリントを持ち込むだけで、簡単に再プリントを注文することができる。また、ＤＰＥ店等のプリントサービス提供者においても、フィルム中の指定画像コマの検索や、画像データファイル中の指定画像データの検索が不要となり、作業効率が向上する。
【０１１３】
また、本発明のプリントシステムの別の態様において、プリントに付されたＩＣタグに著作権に関する情報を記録した場合には、再プリント処理時に、この著作権情報に応じてプリント処理を制限することにより、プリントの複製を有効に防止または制限することができる。
【０１１４】
また、本発明のプリントシステムの別の態様において、再プリント注文時に注文情報をプリントに付されたＩＣタグに記録し、この注文情報を用いてプリント処理を行うようにした場合には、プリントシステムの構成および状況等において最も効率の良い再プリント処理の順序を設定して処理し、さらに、仕上がりプリントをＩＣタグの注文情報に応じて並び替えるようにすることで、再プリント処理をより効率的に行うことができる。
【図面の簡単な説明】
【図１】本発明に係るプリントシステムの一実施例の概略構成図である。
【図２】図１に示すプリンタの概略構成図である。
【図３】本発明に係るプリントシステムにより出力されるプリントの概念図であり、（Ａ）は、表面（プリント画像記録面）、（Ｂ）は、裏面を表す図である。
【図４】本発明のプリントシステムに適用可能な画像再生方法のフローの一例を示すフローチャートであり、（Ａ）は、ＡＰＳフィルムの例、（Ｂ）は、１３５フィルムの例、（Ｃ）は、ＡＰＳ対応カメラでの撮影の際に、人工衛星を用いたＧＰＳを利用して撮影位置情報を得る例である。
【図５】本発明に係るプリントシステムの別の例の概略構成図である。
【図６】本発明に係るプリントシステムの別の例の概略構成図である。
【符号の説明】
１０、１１０、２１０　プリントシステム
１２、１１２、２１２　画像入力装置
１４、１１４、２１４　画像処理装置
１６、１１６、２１６　画像出力装置
１８、１１８、２１８　制御部
２０、１２０、２２０　キー入力部
２２、１２２、２２２　ディスプレイ
２４、１２４、２２４　プリンタ
２６、１２６、２２６　メディアドライバ
２８、１２８、２２８　フィルムスキャナ
３０、１３０、２３０　メディアドライバ
３２、１３２、２３２　画像データ受信装置
３４、１３４、２３４　ＩＣタグ読取装置
３８、１３８、２３８　画像データ前処理部
４０、１４０、２４０　第１メモリ
４２、１４２、２４２　第２メモリ
４４、１４４、２４４　第１画像処理部
４６、１４６、２４６　第２画像処理部
１５０　付加情報取得部
２３６　処理順序設定部
２４８　注文受付装置
５２　マガジン
５４　カッタ
５６　裏印字手段
５８　露光部
６０　現像部
６２　発色現像槽
６４　漂白定着槽
６６ａ，６６ｂ，６６ｃ、６６ｄ　水洗槽
６８　乾燥部
７０　記録手段
７１　付着手段
７２　ソータ
７４　搬送手段
【図１】
2004110244.tif 000003
【図２】
2004110244.tif 000004
【図３】
2004110244.tif 000005
【図４】
2004110244.tif 000006
【図５】
2004110244.tif 000007
【図６】
2004110244.tif 000008